(57)【要約】      （修正有）【課題】簡易な構造で２の図柄を交互に表示することができる変更表示板を提供する。【解決手段】２の図柄を同一幅で上下方向に分断し、分断された図柄を同一面上に交互に表示して形成される台紙１４と、分断された図柄と同一幅で上下方向による波形を表面に形成した透明板１２と、台紙１４と透明板１２を重ね合わせて、台紙又は透明板のいずれかを同一幅かつ上下方向に時間差をもって往復運動させることができる駆動装置とを備えて変更表示板１０を構成する。【選択図】図１
0003154716.tif 000002
【実用新案登録請求の範囲】
【請求項１】
２の図柄を同一幅で上下方向に分断し、当該分断された図柄を同一面上に交互に表示して形成される台紙と、前記分断された図柄と同一幅で上下方向による波形を表面に形成した透明板と、前記台紙と前記透明板を重ね合わせて、前記台紙又は前記透明板のいずれかを同一幅かつ上下方向に往復運動させることができる駆動装置とを備えた変更表示板。
【請求項２】
前記駆動装置は、前記台紙に支持孔を開口し、モーターと該モーターの回転軸の先端に取り付けられ、前記支持孔と係合する偏心キャップとからなることを特徴とする請求項１に記載の変更表示板。
【請求項３】
請求項１又は請求項２に記載された変更表示板の略中央に時計部材を取り付けたことを特徴とする変更表示時計。
【考案の詳細な説明】
【技術分野】
【０００１】
本考案は、所定の時間差をもって２の図柄を交互に表示できる変更表示板及び変更表示時計に関する。
【背景技術】
【０００２】
従来、部屋の飾りとして使用される額縁は、１の絵や写真を装填して、１の図柄を表示するものであり、２の図柄を交互に表示して変化を楽しむということはできないのが通常である。
【０００３】
【特許文献１】特開平０５−１５３９１１
【０００４】
一方、液晶画面を使用し、画面データを変更する電子的手段により、２の図柄を交互に表示することは技術的に可能だが、その場合には複雑な構造となり、高価な額縁となるばかりか、長期間の使用によれば故障も起き易い。
【考案の開示】
【考案が解決しようとする課題】
【０００５】
本考案は、簡易な構造で２の図柄を交互に表示することができる変更表示板を提供することを目的とする。また、そのような変更表示板を文字盤に使用し、時間差により２の図柄の変化に躍動感を持たせることができる変更表示時計を提供することを目的とする。
【課題を解決するための手段】
【０００６】
上記課題を解決するために、請求項１に記載された考案は、２の図柄を同一幅で上下方向に分断し、当該分断された図柄を同一面上に交互に表示して形成される台紙と、前記分断された図柄と同一幅で上下方向による波形を表面に形成した透明板と、前記台紙と前記透明板を重ね合わせて、前記台紙又は前記透明板のいずれかを同一幅かつ上下方向に往復運動させることができる駆動装置とを備えた変更表示板であることを特徴とする。
【０００７】
そして、本考案においては、前記駆動装置は、前記台紙に支持孔を開口し、モーターと該モーターの回転軸の先端に取り付けられ、前記支持孔と係合する偏心キャップとからなることが好ましい。
【０００８】
また、請求項３に記載された考案は、請求項１又は請求項２に記載された変更表示板の略中央に時計部材を取り付けたこ変更表示時計であることを特徴とする。
【考案の効果】
【０００９】
請求項１に記載の考案によれば、２の図柄を交互に表示して、ディスプレイとして使用される絵や写真の変化を楽しむことができ、室内の飾りとしても飽きることがない表示板を提供することができる。請求項２に記載の考案によれば、簡易な構造のため、安価かつ長期間の使用によって故障することが少ない表示板を提供できる。請求項３に記載の考案によれば、針の動きの合わせて２の図柄が交互に表示され、時間差による２の図柄の変化に躍動感をもたせることもできる。
【考案を実施するための最良の形態】
【００１０】
以下、図面を参照しつつ、本考案を詳細に説明する。図１は、本考案に係る変更表示板の分解斜視図で、（ａ）は台紙、（ｂ）は透明板、（ｃ）は駆動装置が取り付けられた底板を示す。図２は、台紙の２の図柄を示す説明図、図３は、変更表示板の図柄の変化状態を示す説明図、図４は、変更表示板の図柄の変化状態を示す正面図である。
【００１１】
変更表示板１０は、透明板１２、台紙１４、底板１６からなる。台紙１４は、一般的な厚紙やＰＶＣの表面に、例えば、○模様１８と×模様２０の２の図柄を同一幅かつ同一方向で１行ずつ交互に表示したものと考えることができる。１行の幅の寸法には限定はないが、可視することができかつ後記する台紙１４の上下運動と同程度の寸法において極小であることが必要とされ、実際には０．５ｍｍ〜２ｍｍの範囲が好ましい。
【００１２】
この台紙１４の作成方法としては、例えば、２の図柄をＰＣソフト画像編集であるイラストレーター（商品名）により取り込み、  それぞれの図柄を極小幅の多数行に同一方向に分断した後、１の図柄からは奇数行のみを取り出し、他の図柄からは偶数行のみを取り出して、双方を合成して得られた新たな１の図柄を同一面上に印刷する手法（一般に
マスクと言われる。）によることができる。なお、説明の便宜上、台紙１４の図柄は○模様１８と×模様２０で表示したが、図柄のデザインに特に限定はないことはもちろんである。
【００１３】
台紙１４の下方の中央には、横長の略楕円形状による支持孔２２が開口されており、後記の回転軸３０に取り付けられた偏心キャップ３２が挿入されると、偏心キャップ３２の回転と共に台紙は上下動をすることができる。
【００１４】
透明板１４は、例えば、透明プラスチック等の樹脂を素材とし、表面には前記台紙の図柄の１行の幅と同一寸法で断面形状で見た場合の多数の波形２１を成形し、裏面は平坦に形成されたものである。この場合の波形２１には特に限定はないが、後記のレンズ効果を期待するとできる限り大きく突起していることが好ましく、１の波形２１の高さは１行の幅とほぼ同一寸法であることが好ましい。なお、透明板１２の裏面が平坦であることより、台紙１４の図柄は湾曲してしまうことがなく、そのままの形で表面に透過される。
【００１５】
底板１６は、例えば、黒色プラスチック等の樹脂を素材とし、表面には台紙を上下動させるスライド溝部２４を両側に設け、台紙１４を装填する取付け凹部２６が形成され、裏面の下方の中央にはモーター（図示せず。）と電力供給部２８からなる駆動装置を取り付け、また、モーターの回転軸３０は底板の表面に突出している。
【００１６】
さらに、回転軸３０の先端には、例えば、黒色プラスチック等の樹脂を素材とし、円筒形状からなり軸穴が偏心した偏心キャップ３２が取り付けられる。
【００１７】
なお、電力供給部２８はモーターに外部電力を供給するためのコンセントであるが、もちろん底板１６の裏面に電源電池を装填することもできる。
【００１８】
このような変更表示板１０は、台紙１４の支持孔２２に偏心キャップ３２を挿入し、その両側が底板１６のスライド溝部２４に差し込まれた状態で、台紙１４全体を取付け凹部２６に装填する。そして、透明板１２を台紙１４に載置しつつ、底板１６に固定して完成される。
【００１９】
変更表示板１０の使用方法は、台紙１４の支持孔２２が下方となるように立てかけて、電力供給部２８より外部電力を供給しつつ、モーターのスイッチを入れる。回転軸３０が回転し、時間差をもって偏心キャップ３２の肉厚部分と肉薄部分により支持孔２２で支えられる台紙１４は、上下方向に極小なスライド運動を繰り返す。
【００２０】
ここで、台紙１４と透明板１２の関係を説明すると、透明板１２の表面に多数形成された波形２１は凸部真下にある図柄のみをレンズ効果により拡大する。そして、各波形２１の１行の
幅と各図柄の１行の幅は同一であるから、例えば、台紙１４が下方に位置された場合には○模様１８のみが拡大され、極小の寸法で分断されて印刷されている○模様１８は連続し、○模様１８の図柄のみが見えることになる。また、台紙１４が上方に位置された場合には、同様に×模様２０の図柄のみが見えることになる。結果として、駆動装置の作用により台紙１４が上下方向に極小なスライド運動を繰り返すと、○模様１８と×模様２０が時間差をもって交互に表示される。
【００２１】
図５は、本考案に係る変更表示時計の説明図で、（ａ）、（ｂ）は変化する２の図柄の実施例をそれぞれ表示す。
【００２２】
変更表示時計４０は、上記した変更表示板１０の底板の中央に時計部材４２を取りつけたものであり、台紙の中央に時計針を貫通させる穴部が開口され、底板には時計部材４２のために別の電力供給部（図示せず。）が備えられている以外は、変更表示板１０とほぼ同様の構成からなる。
【００２３】
変更表示時計４０においては、時計部材４２の秒針４４の動きと共に、台紙が上下方向に極小なスライド運動を繰り返すため、例えば、２の図柄４４、４６を１秒毎に交互に表示するように設定することもでき、時間差による図柄の変更表示に躍動感をもたせることができる。
【図面の簡単な説明】
【００２４】
【図１】本考案に係る変更表示板の分解斜視図で、（ａ）は台紙、（ｂ）は透明板、（ｃ）は駆動装置が取り付けられた底板を示している。
【図２】台紙の２の図柄を示す説明図である。
【図３】変更表示板の図柄の変化状態を示す説明図である。
【図４】変更表示板の図柄の変化状態を示す正面図である。
【図５】本考案に係る変更表示時計の説明図で、（ａ）、（ｂ）は変化する２の図柄の実施例をそれぞれ表示している。
【符号の説明】
【００２５】
１０  変更表示板
１２  透明板
１４  台紙
１６  底板
１８  ○模様
２０  ×模様
２１  波形
２２  支持孔
２４  スライド溝部
２６  取付け凹部
２８  電力供給部
３０  回転軸
３２  偏心キャップ
４０  変更表示時計
４２  時計部材
４４  秒針
４４、４６  図柄
【図１】
0003154716.tif 000003
【図２】
0003154716.tif 000004
【図３】
0003154716.tif 000005
【図４】
0003154716.tif 000006
【図５】
0003154716.tif 000007